(57)【要約】【課題】植物を敷設することで、人工芝では再現できない心地のいい感触を得ることができ、愛着を向上できる履物を提供すること。【解決手段】履物１は、天然芝３２が敷設され、足裏が置かれる上敷き部１０と、上敷き部１０の下方に配置されたソール２０と、上敷き部１０と、ソール２０の間に配置され、保水性を有するインソール３０と、を備え、インソール３０には、天然芝３２が敷設され、上敷き部１０には、天然芝３２の先端側が突出する複数の孔１２１が形成されている。【選択図】図２
2017012458.tif 000002
【特許請求の範囲】
【請求項１】
植物が敷設された履物であって、
足裏が置かれる上敷き部と、
前記上敷き部の下方に配置されたソールと、
前記上敷き部と、前記ソールの間に配置され、保水性を有するインソールと、を備え、
前記インソールには、植物が敷設され、
前記上敷き部には、前記植物の先端側が突出する複数の孔が形成されている履物。
【請求項２】
複数の前記孔は、所定の間隔で配列され、
前記間隔は、前記上敷き部において、土踏まずが置かれる部分より、指の付け根が置かれる部分及び踵が置かれる部分の方が大きい請求項１に記載の履物。
【請求項３】
前記上敷き部と前記ソールとの間に配置され、垂直方向に延び、前記インソールを貫通し、前記上敷き部と前記ソールとの間の高さを所定の寸法に維持する柱状体を、更に備える請求項１又は２に記載の履物。
【発明の詳細な説明】
【技術分野】
【０００１】
本発明は、履物に関し、特に植物が敷設された履物に関する。
【背景技術】
【０００２】
従来、サンダル等の履物は、足裏の感触を向上するために、その上敷き部に、人工芝や畳材等が敷設される場合があった。
例えば、特許文献１には、上敷き部に、人工芝を敷設した履物が提案されている。
この特許文献１の履物によれば、この履物を履いた使用者は、芝生の上を裸足で歩いているような感触を得ることができ、履き心地が向上する。
【先行技術文献】
【特許文献】
【０００３】
【特許文献１】特開平７−３２７７０７号公報
【発明の概要】
【発明が解決しようとする課題】
【０００４】
しかしながら、特許文献１の履物は、上敷き部に敷設されているのは天然芝を模した人工芝であるため、足裏の感触は人工的であり、天然芝を裸足で歩いたときの柔らかく程よい刺激がある心地のいい感触を再現するのは困難である。
また、人工芝の場合、先端までの長さが一定であるため、履いたときの足裏の感触が一定であり、使用者の好みに応じてこの感触を調整することができない。
【０００５】
また、人工芝の場合、天然芝等の植物のように手入れや水やりは必要ない。このため、使用者は、人工芝が敷設された履物に手間を掛ける必要がない一方、履物への愛着も低減する。
【０００６】
本発明は、植物を敷設することで、人工芝では再現できない心地のいい感触を得ることができ、愛着を向上できる履物を提供することを目的とする。
【課題を解決するための手段】
【０００７】
（１）  植物が敷設された履物であって、
足裏が置かれる上敷き部と、
前記上敷き部の下方に配置されたソールと、
前記上敷き部と、前記ソールの間に配置され、保水性を有するインソールと、を備え、
前記インソールには、植物が敷設され、
前記上敷き部には、前記植物の先端側が突出する複数の孔が形成されている履物。
【０００８】
（１）に記載の発明によれば、履物は、植物が敷設され、上敷き部と、ソールと、インソールと、を備える。
上敷き部は、足裏が置かれる。
ソールは、上敷き部の下方に配置されている。
インソールは、上敷き部と、ソールの間に配置され、保水性を有する。
そして、インソールには、植物が敷設されている。
また、上敷き部には、植物の先端側が突出する複数の孔が形成されている。
【０００９】
これにより、インソールに敷設された植物の先端側が上敷き部の孔から突出して、使用者の足裏に接触するので、使用者は裸足で天然芝を歩いたときと同様の感触を得ることができる。
また、使用者は、履物の天然芝に水をやり、成長させ、葉先の長さを自分の好みに応じて切り揃えるといった作業を行うことで、履物に自分だけのオリジナル感を際立たせ、履物への愛着を向上できる。
なお、本発明において「植物」は、例えば、天然芝等や苔や菌類も含む。
したがって、植物を敷設することで、人工芝では再現できない心地のいい感触を得ることができ、愛着を向上できる履物を提供できる。
【００１０】
（２）  複数の前記孔は、所定の間隔で配列され、
前記間隔は、前記上敷き部において、土踏まずが置かれる部分より、指の付け根が置かれる部分及び踵が置かれる部分の方が大きい（１）に記載の履物。
【００１１】
ここで、使用者が履物を履いた場合、履物に掛かる荷重は、指の付け根が置かれる部分及び踵が置かれる部分に集中する。
（２）に記載の発明によれば、複数の孔の間隔を、土踏まずが置かれる部分より、指の付け根が置かれる部分及び踵が置かれる部分の方を大きくした。
これにより、使用者の足裏が置かれる上敷き部における孔と孔の間の面積を、土踏まずが置かれる部分より、指の付け根が置かれる部分及び踵が置かれる部分の方を大きくできる。よって、上敷き部において、荷重が集中する指の付け根が置かれる部分及び踵が置かれる部分の強度を向上できる。
【００１２】
（３）  前記上敷き部と前記ソールとの間に配置され、垂直方向に延び、前記インソールを貫通し、前記上敷き部と前記ソールとの間の高さを所定の寸法に維持する柱状体を、更に備える（１）又は（２）に記載の履物。
【００１３】
（３）に記載の発明によれば、上敷き部とソールとの間の高さを所定の寸法に維持する柱状体を、更に備えた。
これにより、使用者が履物を履くことにより、上敷き部に荷重が掛かった場合に、インソール自体の強度で、この荷重を受けなくても、柱状体で受けることで、インソールの厚さを維持できる。よって、例えば、植物の苗床となるインソール（例えば、スポンジや土等）の密度を低減し、履物の重量を軽くしつつ、履物の強度を維持できる。
【発明の効果】
【００１４】
本発明によれば、植物を敷設することで、人工芝では再現できない心地のいい感触を得ることができ、愛着を向上できる履物を提供できる。
【図面の簡単な説明】
【００１５】
【図１】本発明の一実施形態に係る履物１の斜視図である。
【図２】前記実施形態に係る履物１の分解斜視図である。
【図３】前記実施形態に係る上敷き部１０を上面から視た図である。
【図４】前記実施形態の変形例に係る上敷き部１０Ａを上面から視た図である。
【発明を実施するための形態】
【００１６】
本発明の実施形態に係る履物１の構成を図面に基づいて説明する。
図１は、本発明の一実施形態に係る履物１の斜視図である。
図２は、前記実施形態に係る履物１の分解斜視図である。
履物１は、植物の一例である天然芝３２が敷設され、上敷き部１０と、ソール２０と、インソール３０と、柱状体４０（図２参照）と、を備える。
本実施形態において、履物１は、例えば、左右一対のサンダル形状で形成されているが、使用者が履くことができ、上敷き部１０から突出する天然芝３２に水を与えたり、日光をあてたりできれば、任意の形状とすることができる。
【００１７】
上敷き部１０は、使用者の足裏が置かれ、足かけ部１１と、板状体１２と、を備える。上敷き部１０は、合成樹脂やゴム等のサンダルの素材として一般的な素材で形成されている。
足かけ部１１は、板状体１２に連結され、例えば、鼻緒形状に形成されている。なお、足かけ部１１の形状は、使用者の足に引っ掛けることができれば、例えば、足の甲に引っ掛けられる帯等で形成してもよい。
【００１８】
板状体１２には、後述する天然芝３２の先端側が突出する複数の孔１２１が形成されている。
図３は、前記実施形態に係る上敷き部１０を上面から視た図である。
複数の孔１２１は、上面視で円形に形成され、上敷き部１０において、指の付け根が置かれる部分及び踵が置かれる部分に形成された複数の大孔１２１ａと、土踏まずが置かれる部分に形成され、大孔１２１ａより小さい内径で形成された複数の小孔１２１ｂと、で構成されている。
互いに隣接する大孔１２１ａの隙間１２２ａは、互いに隣接する小孔１２１ｂの隙間１２２ｂより大きい寸法で形成されている。
なお、本実施形態において、複数の孔１２１は、指の付け根が置かれる部分及び踵が置かれる部分に大孔１２１ａを形成し、土踏まずが置かれる部分に小孔１２１ｂを形成しているが、これに限られない。複数の孔１２１は、全て同じ大きさでもよいし、全て異なる大きさや形状でもよい。また、孔１２１の間隔も、任意の寸法とすることができる。
【００１９】
図４は、前記実施形態の変形例に係る上敷き部１０Ａを上面から視た図である。
上敷き部１０Ａは、本実施形態の上敷き部１０と孔１２１Ａの形状が異なる。
図４に示す例では、孔１２１Ａの形状は、上面視で６角形に形成されている。
このように、孔１２１の形状は、天然芝の先端側が突出可能な形状であれば、４角形、６角形等の任意の形状とすることができる。
【００２０】
図２に戻って、ソール２０は、上敷き部の下方に配置されている。
ソール２０は、底板２１と、底板２１の側縁から立設する壁部２２と、を備え、壁部２２で囲まれたインソール収容部２２１を形成している。ソール２０は、合成樹脂やゴム等のサンダルの素材として一般的な素材で形成されている。
底板２１には、上面側に配置されたインソール３０に供給された水のうち、余計な水を排出する排水口を設けてもよい。
壁部２２は、その上端が上敷き部１０の側縁と係合し、着脱自在に接続され、上敷き部１０の側縁を支持する。
なお、壁部２２は、開口部が無い壁形状に限らず、柵形状、網形状等の任意の形状とすることができる。
【００２１】
インソール３０は、上敷き部１０と、ソール２０の間に配置され、保水性を有する。
具体的には、インソール３０は、ソール２０のインソール収容部２２１に収容された苗床３１（例えば、砂層と、砂層の上に肥料等が混入された土で形成された土層）と、苗床３１の上に敷かれた天然芝３２と、で構成されている。なお、苗床３１は、天然芝３２が根を張ることができれば、例えば、スポンジ等で構成してもよい。
【００２２】
柱状体４０は、上敷き部１０とソール２０との間に配置され、垂直方向に延び、インソール３０を貫通し、上敷き部１０とソール２０との間の高さを所定の寸法に維持する。
詳細には、柱状体４０は、図３の点線で示すように、指の付け根が置かれる部分及び踵が置かれる部分に形成された複数の大孔１２１ａの隙間１２２ａと上面視で同じ位置に配置され、下端がソール２０に当接し、上端が上敷き部１０の下面に接続されている。
【００２３】
次に、履物１の使用方法について説明する。
使用者は、ソール２０のインソール収容部２２１において、インソール３０の天然芝３２を敷設し、ソール２０と上敷き部１０とを接合させる。そして、使用者は、天然芝３２に日光があたる位置に履物１を載置し、必要に応じて水をやる。そして、使用者は、天然芝３２の成長に応じて、自分の好みの感触を足裏に得られる長さに天然芝３２の葉先を切り揃えて、履物１を履く。
【００２４】
次に、本実施形態に係る履物１の作用効果について説明する。
履物１によれば、インソール３０に敷設された天然芝３２の先端側が上敷き部１０の孔１２１から突出して、使用者の足裏に接触するので、使用者は天然芝を歩いたときと同様の感触を得ることができる。
また、使用者は、履物１の天然芝３２に水をやり、成長させ、葉先の長さを自分の好みに応じて切り揃えるといった作業を行うことで、履物１に自分だけのオリジナル感を際立たせ、履物１への愛着を向上できる。
したがって、天然芝３２を敷設することで、人工芝では再現できない心地のいい感触を得ることができ、愛着を向上できる履物１を提供できる。
【００２５】
また、履物１によれば、複数の孔１２１の間隔を、土踏まずが置かれる部分より、指の付け根が置かれる部分及び踵が置かれる部分の方を大きくした。
これにより、使用者の足裏が置かれる上敷き部１０における孔１２１と孔１２１の間の面積を、土踏まずが置かれる部分より、指の付け根が置かれる部分及び踵が置かれる部分の方を大きくできる。よって、上敷き部１０において、荷重が集中する指の付け根が置かれる部分及び踵が置かれる部分の強度を向上できる。
【００２６】
また、履物１によれば、上敷き部１０とソール２０との間の高さを所定の寸法に維持する柱状体４０を、更に備えた。
これにより、使用者が履物１を履くことにより、上敷き部１０に荷重が掛かった場合に、インソール３０自体の強度で、この荷重を受けなくても、柱状体４０で受けることで、インソール３０の厚さを維持できる。よって、例えば、天然芝３２の苗床３１となるインソール３０（例えば、スポンジや土等）の密度を低減し、履物１の重量を軽くしつつ、履物１の強度を維持できる。
【００２７】
なお、本発明は前記実施形態に限定されるものではなく、本発明の目的を達成できる範囲での変形、改良等は本発明に含まれるものである。
【符号の説明】
【００２８】
１      履物
１０    上敷き部
１２１  孔
２０    ソール
３０    インソール
３２    天然芝
【図１】
2017012458.tif 000003
【図２】
2017012458.tif 000004
【図３】
2017012458.tif 000005
【図４】
2017012458.tif 000006